(57)【特許請求の範囲】
【請求項１】
二つ折り可能なゴルフクラブ用ヘッドカバーであって、シート状のカバー材、カバー材の縁部に沿って設けられた複数対の貼り合わせ手段、カバー材に取り付けられた断面弧状に湾曲した帯状バネを有し、
各対の貼り合わせ手段は、ヘッドカバーを二つ折りにした場合に平面視で重なり合う部分に設けられ、
帯状バネは、その長手方向が、ヘッドカバーを二つ折りするときのカバー材の折れ線と交叉し、断面弧状の湾曲形状の凹面をカバー材の表面に向け、凸面をカバー材の裏面に向けているゴルフクラブ用ヘッドカバー。
【請求項２】
貼り合わせ手段が磁石である請求項１記載のヘッドカバー。
【請求項３】
帯状バネが、カバー材の短手方向の幅を二分する位置に設けられている請求項１又は２記載のヘッドカバー。
【請求項４】
カバー材の対向する縁部が、３つの突出部が並んだ形状を有し、各突出部に貼り合わせ手段が配置されている請求項１〜３のいずれかに記載のヘッドカバー。
【請求項５】
平面視で帯状バネの端部と貼り合わせ手段が重なっている請求項１〜４のいずれかに記載のヘッドカバー。
【請求項６】
カバー材が、表裏に重なった外側シート材料と内側シート材料を有し、帯状バネが外側シート材料と内側シート材料の間に配置されている請求項１〜５のいずれかに記載のゴルフクラブ用ヘッドカバー。
【発明の詳細な説明】
【技術分野】
【０００１】
本発明は、ゴルフクラブ用ヘッドカバーに関する。
【背景技術】
【０００２】
ドライバー等のゴルフクラブのヘッドカバーとして、伸縮性のニット材料をヘッドカバーの口部や側部に用いた袋状のカバーが広く市販使用されている。このようなヘッドカバーをクラブヘッドの被せるときには、小径になっているヘッドカバーの口部を広げてクラブヘッドをヘッドカバー内に押し込むことが必要となる。これに対し、ヘッドカバーの着脱を容易にするため、ヘッドカバーの口部を開閉可能な鳥のくちばし状に成形し、磁石でくちばし状の口部が留まるようにしたものが提案されている（特許文献１）。
【０００３】
一方、パターのヘッドカバーとしては、マレット型パターのヘッド形状に対応させて成形した袋状のカバーをベロで止めるようにしたもの（特許文献２）、ブレード型パターのヘッド形状に対応させて成形した袋状のカバーの開口部を磁気ファスナーで止めるようにしたもの（特許文献３）などが知られている。
【先行技術文献】
【特許文献】
【０００４】
【特許文献１】特開２００６−２３９４１６号公報
【特許文献２】実用新案登録３１１４４６０号公報
【特許文献３】特表２０１１−５１６１１９号公報
【発明の概要】
【発明が解決しようとする課題】
【０００５】
しかしながら、ヘッドカバーは、特定のゴルフクラブのヘッド形状に対応させて成形されている。そのため、マレット型パターのヘッドカバーをブレード型パターに使用することはできず、また、ブレード型パターのヘッドカバーをマレット型パターに使用することはできない。まして、これらパター用のヘッドカバーをドライバーに使用することはできず、その逆もできない。
【０００６】
また、いずれもカバーの開口部を広げ、開口形状とクラブヘッドの向きを合わせてカバー内へクラブヘッドを挿入し、それを閉じなくてはならず、カバーの装着が煩雑である。
【０００７】
これに対し、本発明は、任意のゴルフクラブのヘッドカバーとして使用でき、かつ極めて簡便に着脱することのできるヘッドカバーの提供を課題とする。
【課題を解決するための手段】
【０００８】
本発明者は、ヘッドカバーを袋状に成形することなく、平坦なシート状に形成して二つ折り可能とし、ヘッドカバーを二つ折りにした場合に、その縁部が磁石等の貼り合わせ手段で留められるようにし、かつ、ヘッドカバーに、断面弧状に湾曲した帯状バネを設けると、帯状バネを軽く押すだけでヘッドカバー材料が二つ折りに畳まれ、クラブヘッドを包めることを見出し、本発明を想到した。
【０００９】
即ち、本発明は、二つ折り可能なゴルフクラブ用ヘッドカバーであって、シート状のカバー材、カバー材の縁部に沿って設けられた複数対の貼り合わせ手段、カバー材に取り付けられた断面弧状に湾曲した帯状バネを有し、
各対の貼り合わせ手段は、ヘッドカバーを二つ折りにした場合に平面視で重なり合う部分に設けられ、
帯状バネは、その長手方向が、ヘッドカバーを二つ折りするときのカバー材の折れ線と交叉し、断面弧状の湾曲形状の凹面をカバー材の表面に向け、凸面をカバー材の裏面に向けているゴルフクラブ用ヘッドカバーを提供する。
【発明の効果】
【００１０】
本発明のヘッドカバーは、任意のゴルフクラブのヘッドカバーとして使用することができる。また、ヘッドカバーの裏面を押すだけでヘッドカバーが二つ折りになって閉じるので、ワンタッチでクラブヘッドをカバーすることが可能となる。
【図面の簡単な説明】
【００１１】
【図１Ａ】図１Ａは、実施例のヘッドカバー１Ａの（ａ）上面図、（ｂ）背面図、（ｃ）Ａ−Ａ断面図、及び（ｄ）Ｂ−Ｂ断面図である。
【図１Ｂ】図１Ｂは、実施例のヘッドカバー１ＡのＡ−Ａ断面の分解図である。
【図２Ａ】図２Ａは、実施例のヘッドカバー１Ｂの（ａ）上面図、（ｂ）背面図、（ｃ）Ａ−Ａ断面図、及び（ｄ）Ｂ−Ｂ断面図である。
【図２Ｂ】図１Ｂは、実施例のヘッドカバー１ＢのＡ−Ａ断面の分解図である。
【図３Ａ】図３Ａは、実施例のヘッドカバー１Ｃの（ａ）上面図、（ｂ）背面図、（ｃ）Ａ−Ａ断面図、及び（ｄ）Ｂ−Ｂ断面図である。
【図３Ｂ】図３Ｂは、実施例のヘッドカバー１ＣのＡ−Ａ断面の分解図である。
【図４Ａ】図４Ａは、実施例のヘッドカバー１Ｄの（ａ）上面図、（ｂ）背面図、（ｃ）Ａ−Ａ断面図、及び（ｄ）Ｂ−Ｂ断面図である。
【図４Ｂ】図４Ｂは、実施例のヘッドカバー１ＤのＡ−Ａ断面の分解図である。
【図５Ａ】図５Ａは、マレット型パターのヘッドをヘッドカバーに当てた状態の斜視図である。
【図５Ｂ】図５Ｂは、ヘッドカバーでマレット型パターのヘッドを包んだ状態の斜視図である。
【図６】図６は、ヘッドカバーでピン型パターのヘッドを包んだ状態の斜視図である。
【図７】図７は、ヘッドカバーでドライバーのヘッドを包んだ状態の斜視図である。
【図８】図８は、ヘッドカバーで複数本のアイアンをくるんだ状態の斜視図である。
【図９】図９は、ヘッドカバーでペットボトル入り飲料をくるんだ状態の斜視図である。
【図１０】図１０は、ヘッドカバーで手をくるんだ状態の斜視図である。
【図１１Ａ】図１１Ａは、ヘッドカバーをパターに装着する方法の説明図である。
【図１１Ｂ】図１１Ｂは、ヘッドカバーをパターに装着する方法の説明図である。
【図１１Ｃ】図１１Ｃは、ヘッドカバーをパターに装着する方法の説明図である。
【図１１Ｄ】図１１Ｄは、ヘッドカバーをパターに装着する方法の説明図である。
【発明を実施するための形態】
【００１２】
以下、図面を参照しつつ本発明を具体的に説明する。なお、各図中、同一符号は同一又は同等の構成要素を表している。
【００１３】
本発明の実施例のゴルフクラブ用ヘッドカバー１Ａは、二つ折り可能であり、二つ折りしたヘッドカバー１Ａは平坦なシート状に展開することができる。図１Ａに示すように、このヘッドカバー１Ａは、可撓性でクッション性を有するシート状のカバー材２、カバー材２の縁部に沿って、貼り合わせ手段として設けられた複数対の磁石１０、及びカバー材２に取り付けられた断面弧状に湾曲した帯状バネ２０を有している。
【００１４】
＜カバー材＞
ヘッドカバー１Ａを形成するカバー材２は、ヘッドカバー１Ａの表面（外側面）をなす外側シート材料３と、ヘッドカバー１Ａの裏面（内側面）をなす内側シート材料４から形成されている。これらのシート材料３、４の少なくとも一方は、クッション性を有するものが好ましく、例えば、発泡ゴムシート、発泡ウレタンシート等の発泡樹脂シート、フリース、フランネル等の起毛シート、キルティングシート等を使用することができる。本実施例では、外側シート材料３及び内側シート材料４が、防水性のウェットスーツ素材として使用されている、厚さ２〜７ｍｍの発泡クロロプレンゴムシートで形成されている。
【００１５】
なお、本発明のヘッドカバー１Ａは、カバー材２の裏面を内側にして二つ折りになる性質を有するため、カバー材２の表裏を一目で判別できるように、外側シート材料３及び内側シート材料４の図柄、素材等を適宜選択することが好ましい。
【００１６】
カバー材２の外形は、長手方向の長さを２等分する中心線Ｌ１の両側に対称に形成されており、その中心線Ｌ１に概略平行な一対の対向する縁部５に、３つの突出部５ａ、５ｂ、５ｃが横に並んだ形状を有している。
【００１７】
カバー材２の外形に、このような突出部５ａ、５ｂ、５ｃを設けることにより、後述するように、ドライバーや任意のヘッド形状のパターなどの種々のゴルフクラブのヘッドに、それが右利き用であるか左利き用であるかを問わず、ヘッドカバー１Ａを安定して装着することが可能となる。
＜帯状バネ＞
断面弧状に湾曲した帯状バネ２０は、反射バンド（例えば、実用新案登録２５７０２７２号公報，特開２０００―１７２２０４号公報）等に使用される帯状弾性体で、断面弧状の湾曲形状の凸面を押すことにより瞬時に丸まる性質を有する。本実施例のヘッドカバー１Ａでは、この帯状バネ２０の長手方向が、ヘッドカバー１Ａを二つ折りするときのカバー材２の折れ線（即ち、中心線Ｌ１）と交叉する方向、好ましくは略垂直な方向になっている。また、帯状バネ２０は、カバー材２の短手方向の幅を二分する位置、好ましくは２等分する線に沿って設けられている。
【００１８】
本実施例では、帯状バネ２０が丸まることなく、ヘッドカバー１Ａを平坦に展開でき、かつヘッドカバー１Ａの裏面を押すだけでヘッドカバーがワンタッチで二つ折りになって閉じるようにするため、帯状バネ２０は、その長手方向をカバー材２の長手方向とし帯状バネ２０の断面弧状の湾曲形状の凹面２１をカバー材２の表面に向け、その凸面２２をカバー材２の裏面に向けてカバー材２に取り付けられている。この場合、帯状バネ２０は、カバー材２０の短手方向の幅を略等分に二分する位置に配置することが好ましい。
【００１９】
帯状バネ２０をカバー材２に取り付けるために、本実施例においては、帯状バネ２０が外側シート材料３と内側シート材料４との間に配置され、帯状バネ２０の凸面２２が内側シート材料４と接着されている（図１Ａ（ｃ））。カバー材２における帯状バネ２０の配設位置が当初の位置からずれないようにするために、帯状バネ２０を外側シート材料３と内側シート材料４で挟んだ状態で、帯状バネ２０の外形に沿って外側シート材料３と内側シート材料４とを縫い合わせても良い。
【００２０】
＜貼り合わせ手段＞
カバー材２の縁部に沿って設けられる複数対の貼り合わせ手段として、本実施例では円盤型の磁石が設けられている。なお、磁石１０の形状は、円盤型に限られず、板状、シート状などであってもよい。また、磁石１０としては、ネオジウム磁石等の強力な磁石が好ましい。また、貼り合わせ手段として、磁石に代えて面ファスナーを取り付けても良い。
【００２１】
各対の磁石１０の配設位置は、ヘッドカバー１Ａの長手方向を二分する中心線Ｌ１で二つ折りした場合にヘッドカバー１Ａの平面視において重なり合う部分となっている。より具体的には、カバー材２の対向する突出部５ａ、５ｂ、５ｃに一対ずつ磁石１０が配置されている。また、長手方向に伸びた左右の縁部５近傍にも、ヘッドカバー１Ａを中心線Ｌ１で二つ折りした場合に重なり合う位置に一対ずつ磁石１０ｓが配置されている。なお、この磁石１０ｓは、カバー材２の突出部５ａ、５ｂ、５ｃに配置された磁石１０に比して小径で吸着力の弱いものとなっている。
【００２２】
ヘッドカバー１Ａの平面視において、カバー材２の３つの突出部５ａ、５ｂ、５ｃのうち中央の突出部５ｂに配置された磁石１０は、帯状バネ２０の端部と重なっている。この場合、磁石１０の約半分が帯状バネ２０の端部と重なり、残り約半分を帯状バネ２０の端部から該帯状バネ２０の長手方向に突出させることが好ましい。これにより、ヘッドカバー１Ａを閉じるときに帯状バネ２０が丸まらずに二つ折りとなり、かつ閉じたときにクラブヘッドを収容できるスペースを最大限広く確保することができる。
【００２３】
磁石１０，１０ｓのカバー材２への取り付け方法としては、磁石１０，１０ｓを内側シート材料４の表面に接着剤で貼着することができ、さらに磁石１０，１０ｓの上から該磁石１０，１０ｓを覆うカバーシート６を貼り付けることが好ましい。カバーシート６としては、擦過性に強いものが好ましく、例えばナイロン布、ポリエステル布、これらを樹脂コートしたもの等を使用することができる。
カバーシート６を磁石１０、１０ｓに被せることで磁石１０，１０ｓが割れたり欠けたりすることを防止でき、また、磁石１０，１０ｓの吸着力を調整することができる。
【００２４】
＜ヘッドカバーの製造方法＞
実施例のヘッドカバー１Ａの製造方法としては、カバー材２として、所定形状に切り抜いた外側シート材料３と内側シート材料４を用意し、図１Ｂに示すように内側シート材料４と帯状バネ２０を接着剤で貼着する。そして、該帯状バネ２０を挟むように内側シート材料４と外側シート材料３とを重ね合わせ、必要に応じて帯状バネ２０の外周に沿って内側シート材料４と外側シート材料３とを縫い合わせ、内側シート材料４と外側シート材料３の周縁部をヘムテープ７で覆うように縫い付ける。次に、磁石１０，１０ｓを内側シート材料４に接着剤で貼着し、その磁石１０，１０ｓを覆うようにカバーシート６を貼着する。こうしてヘッドカバー１Ａを得ることができる。
【００２５】
＜ヘッドカバーの使用方法＞
本実施例のヘッドカバー１Ａを、例えばマレット型パターのヘッドカバーとして使用する場合、図５Ａに示すように、パター３０のヘッド３１のソール面をヘッドカバー１Ａの裏面（内側シート材料４）に当て、ヘッドカバー１Ａでヘッド３１をくるむ。このとき、図５Ｂに示すようにヘッドカバー１Ａは自ずと二つ折りになり、磁石１０、１０ｓの対向するもの同士が吸着し、ヘッドカバー１Ａが閉じられる。また、クラブのシャフト３２は、カバー材２の隣り合う突出部５ａ、５ｂの間の凹部から突き出た形状となり、その突出部５ａ、５ｂが磁石１０で張り合わされているので、ヘッド３１にヘッドカバー１Ａを装着した状態が安定する。
【００２６】
このヘッドカバー１Ａをクラブのヘッドに装着するにあたり、突出部５ａ、５ｂの間だけからでなく、突出部５ｂ、５ｃの間からも、二つ折りしたカバー材２の折り山とそれに隣接する磁石１０ｓの間からもシャフトを出すことができるので、このヘッドカバー１Ａは、クラブの種類、ヘッド形状、右利き用、左利き用、ヒールシャフト、トウシャフト等を問わず種々のクラブのヘッドカバーとして使用することができる。より具体的には、例えば、図６に示すようにピン型パター３０のヘッドカバーとして使用することができ、また、図７に示すように、ドライバー３３のヘッドカバーとして使用することができる。
【００２７】
図８に示すように、このヘッドカバー１Ａによれば、複数本のアイアン３４のヘッドをまとめて包むこともできる。したがって、ゴルフバック４０にクラブを収納して移送するときのアイアン３４のヘッドカバーとして使用することもできる。
【００２８】
さらに、図９に示すように、ヘッドカバー１Ａでペットボトル入り飲料４１等をくるむことができるので、ゴルフ練習場やゴルフコースで購入した冷たい又は暖かい飲料の温度保持に役立てることができる。図１０に示すように、ヘッドカバー１Ａで手４２を包み、ヘッドカバー１Ａをハンドウォーマーとして使用することもできる。
【００２９】
本発明のヘッドカバーの使用方法としては、カバーする対象物にヘッドカバーを当ててその対象物を包むだけでなく、平たく広げておいたヘッドカバーに対象物を押しつけることにより、対象物を包むこともできる。一般に、グリーンでパターを使用するときには、使用直前までパターにヘッドカバーをつけておくために、グリーン周りでヘッドカバーを外し、パターを使用した後には直ちにパターにヘッドカバーをつけることがなされているが、パターからヘッドカバーを外した後に、例えば、図１１Ａに示すように、ヘッドカバー１Ａの裏面（内側ヘッド材料４）を上してヘッドカバー１Ａをグリーン周りの地面４３に広げておくと、ヘッドカバー１Ａをパター３０につけるときには、図１１Ｂに示すように、地面４３上のヘッドカバー１Ａにパター３０のヘッド３１を軽く押しつけるだけで、ヘッドカバー１Ａは直ちに自ずと二つ折りに曲がり始め（図１１Ｃ）、ヘッド３１にヘッドカバー１Ａが装着される（図１１Ｄ）。したがって、プレーヤーがパターにヘッドカバーを装着する手間を著しく軽減できる。
【００３０】
＜ヘッドカバーの変形態様＞
本発明のヘッドカバーでは、帯状バネ２０が丸まることなく、平板状に伸びた状態と、二つ折りになった状態とをとれるように、帯状バネ２０をカバー材２に取り付けることが重要であるが、帯状バネ２０はカバー材２へ種々の方法で取り付けることができる。
【００３１】
例えば、図２Ａ、図２Ｂに示すヘッドカバー１Ｂのように、内側シート材料４に帯状の薄布８を縫い目９で縫い付けることにより筒状の挿入路を形成し、そこに帯状バネ２０を通してもよい。
【００３２】
また、帯状の薄布８として片面にヒートシール材を付着させたものを使用し、内側シート材料４の上に帯状バネ２０をおき、その上から帯状の薄布８を被せ、帯状の薄布８を帯状バネ２０及び内側シート材料４にヒートシールしてもよい。
【００３３】
図３Ａ、図３Ｂに示すヘッドカバー１Ｃのように、外側シート材料３に帯状の薄布８を縫い目９で縫い付けることにより筒状の挿入路を形成し、そこに帯状バネ２０を通してもよい。
【００３４】
図４Ａ、図４Ｂに示すヘッドカバー１Ｄのように、外側シート材料３及び内側シート材料４と外形が略同形状の薄布８ａ、８ｂを縫い合わせることにより筒状の挿入路を形成し、そこに帯状バネ２０を通し、薄布８ａ、８ｂと外側シート材料３及び内側シート材料４の周縁部を縫い合わせ、その縁をヘムテープ７で覆っても良い。これにより、外側シート材料３及び内側シート材料４に、帯状バネ２０を固定するための縫い目が現れないようにすることができる。
【００３５】
カバー材２の外形としては、前述の突出部５ａ、５ｂ、５ｃを有する形状に限定されず、２つ折りにより矩形、半月形などとなる外形としてもよい。また、帯状バネ２０は、任意の外形のカバー材において、帯状バネの長手方向がヘッドカバーを二つ折りするときのカバー材の折れ線と交叉する向きに、好ましくは略垂直となるように取り付ければよい。
【符号の説明】
【００３６】
１Ａ、１Ｂ、１Ｃ、１Ｄ  ヘッドカバー
２  カバー材
３  外側シート材料
４  内側シート材料
５  縁部
５ａ、５ｂ、５ｃ  縁部の突出部
６  カバーシート
７  ヘムテープ
８、８ａ、８ｂ  帯状の薄布
９  縫い目
１０、１０ｓ  磁石
２０  帯状バネ
２１  凹面
２２  凸面
３０  パター
３１  ヘッド
３２  シャフト
３３  ドライバー
３４  アイアン
４０  ゴルフバック
４１  ペットボトル入り飲料
４２  手
４３  地面
Ｌ１  中心線
【図１Ａ】
0006646280.tif 000002
【図１Ｂ】
0006646280.tif 000003
【図２Ａ】
0006646280.tif 000004
【図２Ｂ】
0006646280.tif 000005
【図３Ａ】
0006646280.tif 000006
【図３Ｂ】
0006646280.tif 000007
【図４Ａ】
0006646280.tif 000008
【図４Ｂ】
0006646280.tif 000009
【図５Ａ】
0006646280.tif 000010
【図５Ｂ】
0006646280.tif 000011
【図６】
0006646280.tif 000012
【図７】
0006646280.tif 000013
【図８】
0006646280.tif 000014
【図９】
0006646280.tif 000015
【図１０】
0006646280.tif 000016
【図１１Ａ】
0006646280.tif 000017
【図１１Ｂ】
0006646280.tif 000018
【図１１Ｃ】
0006646280.tif 000019
【図１１Ｄ】
0006646280.tif 000020